(57)【要約】      （修正有）【課題】扉面の下穴開口に露呈させるために錠箱を使用しないで済むダミーケースを提供する。【解決手段】錠箱のフロント板とほぼ同じ寸法形状で、扉の自由側端縁の錠箱開口に着脱可能に装着されると共に、外面側にグリップ２３を装着した、細長い板状体である取付板２２と、この取付板２２の側端縁部に一辺を接続され、相互にかつ錠箱の側板と平行な一対の板状体で、複数の基準穴３３を開口させた一対の袖板２７とを有し、各袖板２７における基準穴３３の展開パターンと、取付板２２との位置関係を、錠箱におけるフロント板と取付柱挿通孔との位置関係と同じにした。【選択図】図７
2016194233.tif 000002
【特許請求の範囲】
【請求項１】
錠箱のフロント板とほぼ同じ寸法形状で、扉の自由側端縁の錠箱開口に着脱可能に装着されると共に、外面側にグリップを装着した、細長い板状体である取付板と、この取付板の側端縁部に一辺を接続され、相互にかつ錠箱の側板と平行な一対の板状体で、複数の基準穴を開口させた一対の袖板とを有し、各袖板における基準穴の展開パターンと、取付板との位置関係を、錠箱におけるフロント板と取付柱挿通孔との位置関係と同じにしたことを特徴とするダミーケース。
【発明の詳細な説明】
【技術分野】
【０００１】  この発明は、ハンドル軸の丸座開口加工用ダミーケース（以下単にダミーケースという）に係り、特に、扉内外面に突出したハンドルの丸座と、扉鋼板の表面に貼着された化粧シートの丸座開口が隙間なく嵌合できるように、丸座開口の径を正確に加工できるようにしたダミーケースに関する。
【背景技術】
【０００２】  扉１の内外面に突出した、例えば全体の形状がＬ字形の内側及び外側ハンドル２、３は、図１及び図２に示すように、異形断面軸（図示の実施例では断面方形軸）４、及びこの異形断面軸４と嵌合する回転軸１０（図３参照）を介して、錠箱９の側板に回動自在に支持されており、また、異形断面軸４を介して一体的に結合されている。【０００３】  なお、図１において異形断面軸４は複数個に分割されているように見えるが、これは図面を簡明に示すためで、実際は１本の杆体である。【０００４】  また、図１において符号５は内側丸座裏板を、符号６は外側丸座裏板を夫々示し、これら内側及び外側丸座裏板５、６は、外側丸座裏板５の室外側に埴設された複数（図示の実施例では一対）の取付柱７、７及び室内側の取付ねじ８、８によって扉１面を挟み付けるようにして扉に固定されている。【０００５】  なお、図１では図面を明瞭にするため図示を省略しているが、取付柱７の外端面には雌ねじが形成されており、この雌ねじが取付ねじ８と螺合する。【０００６】  また、上記取付柱７、７の外端は、錠箱９の両側板に開口した夫々１対の取付柱挿通孔１１、１１を挿通し、内側丸座裏板５に開口した付番しないねじ穴を通して室内に臨んでおり、これに取付ねじ８をねじ込む。【０００７】  内側及び外側丸座１２、１３は、図２に示すように、夫々内側及び外側丸座裏板５、６に外側から嵌合するように裏板に結合され、例えばねじ等によって相互に一体的に結合される。【０００８】  なお、図１に示す錠箱は、出願人会社が製造、販売する電気錠のもので、ハンドル軸（異形断面軸４）が錠箱の中央部を貫通するように描かれているが、これは通常の機械的なシリンダー錠を装着した錠箱のように、シリンダー錠とハンドル軸が上下に分離しているハンドル軸の場合も同様の構造である。
【先行技術文献】
【特許文献】
【０００９】
【特許文献１】  特許第４５４６１０６号公報
【特許文献２】  特願２０１５−
【発明の概要】
【発明が解決しようとする課題】
【００１０】  前記のように構成されたハンドル装置を組み立てるには、図１に示すように、先ず、扉内外面の所定の位置、すなわちハンドルの回動軸線と扉面との交点を中心とするひし形の区域に同形の下穴１４をあける。【００１１】  図示の実施例における下穴１４は、図３に示すように、大体の形状が方形を４５度傾けた形状である。【００１２】  また、扉面は、図２に示すように、鋼板１５の表面に化粧シート１６を張り付けた構造であるが、上記した穴１４は、図３に示すように、鋼板１５及び化粧板１６の穴は同形同大で、しかも重なっているので見掛け上一つの穴に見える。【００１３】  上記のような形状の下穴１４に、丸座１２（１３）を被せると、図３に示すように、丸座１２（１３）は下穴１４より大きく、丸座の外周面と化粧シート１６との交線を示す２点鎖線は、下穴１４の外側に大きくはみ出ることになる。【００１４】  上記のように構成された内側及び外側ハンドル２、３並びに異形断面軸４は、図２に示すように、丸座裏板５（６）に対して回動可能に支持されている。【００１５】  なお、図２において丸座１２（１３）は化粧シート１６から浮いているように描かれているが、実際には丸座は化粧シート１６に接触、或いは弾圧されている。【００１６】  したがって、レバーハンドルを押し引きして扉を開ける際に、扉面（化粧シート）に密着した丸座がわずかにずれる動きがあり、化粧シートが徐々にずれてしわが寄ることがある、という不都合がある。【００１７】  この不都合を解消するため、本出願人は先に、上記特許文献２を以て、新規な加工治具を提案した。【００１８】  この加工治具は、図３及び図４に示すように、例えば一端部に円弧状の溝２１を形成し、一面に複数の基準杆１８を一定の展開パターンで埴設すると共に、他面に摘み１９を突設した板状体であって、この板状体の基準杆１８を、扉面に開口した下穴１４に露出し、同じ展開パターンで開口する複数の取付柱挿通孔の夫々に差し入れることにより、溝２１と丸座１２、１３との相対関係位置を所定の位置関係に定め、しかる後溝２１にカッターを差し入れ、溝に沿って化粧シートに切り込みを入れることにより、化粧シート１６を丸座外径と同径の円形に切り出すようにしたものである。【００１９】  しかして、上記のように構成された特許文献２に記載の加工治具は、下穴に開口する取付柱挿通孔１１は錠箱のものであるから、加工治具を用いる度毎に錠箱を扉の自由側端縁の開口に差し入れてねじ止めしなければならず、作業が煩雑であるばかりでなく、通常は塵埃の多い雰囲気での扉面加工工程において、新品の錠箱を晒さなければならない、という不都合がある。【００２０】  そこで、この発明は、取付柱挿通孔を扉面の下穴開口に露呈させるために錠箱を使用しないで済むダミーケースを提供することを目的としている。
【課題を解決するための手段】
【００２１】  上記の目的を達成するため、請求項１に記載の発明は、錠箱のフロント板とほぼ同じ寸法形状で、扉の自由側端縁の錠箱開口に着脱可能に装着されると共に、外面側にグリップを装着した、細長い板状体である取付板と、この取付板の側端縁に一辺を接続され、相互にかつ錠箱の側板と平行な一対の板状体で、複数の基準穴を開口させた一対の袖板とを有し、各袖板における基凖穴の展開パターンと、取付板との位置関係を、錠箱におけるフロント板と取付柱挿通孔との位置関係と同じにしたことを特徴とする。
【発明の効果】
【００２２】  上記のように構成されたこの発明によるダミーケースは、取付板を扉の自由側端縁の錠箱開口に装着すると、取付板と一体の袖板における基準穴が、錠箱側板における取付柱挿通孔と同じ展開パターンで扉面の下穴内に開口するので、ハンドル軸の丸座開口加工時、本物の錠箱を扉に装着しなくとも、扉面に丸座開口を精度良く開けることができる、という所期の目的を達成できる．
【図面の簡単な説明】
【００２３】
【図１】  ハンドル及びその支持、案内部材を展開して示す外観斜視図。
【図２】  ハンドル丸座の線図的拡大断面図。
【図３】  扉面における下穴の拡大正面図。
【図４】  特許文献２に記載の発明による加工治具の平面図。
【図５】  特許文献２に記載の発明による加工治具の一部断面側面図。
【図６】  ダミーケースの正面図。
【図７】  ダミーケースの側面図。
【図８】  ダミーケースの背面図。
【発明を実施するための形態】
【００２４】  扉面の下穴に複数の取付柱挿通孔を模した基準穴を開口させるために必須の取付板と、これと一体の一対の袖板からのみからなる簡単な構造なので安価でかつ取り扱い易くなった。
【実施例１】
【００２５】  以下、本発明の一実施例を図６乃至図８を参照して説明する。
図６乃至図８において符号２２は取付板を、符号２３はグリップを夫々示す。【００２６】  上記取付板２２は表面側の少し厚手の細長い矩形板である第１面板２４と、上下の一部分だけが幅広で、その間は第１面板２４より幅が少し狭い第２面板２５とを備え、これら第１及び第２面板２５は、全体が細長いコ字形のグリップ２３の脚部を第１面盤２４の表面に呼び付ける付番しない一対のねじにより、一体的に重合されている（図７及び図８参照）。【００２７】  そして、上記のように構成された取付板２２は、その上下端部に装着された大きな摘み付の一対の装着ねじ２６、２６により、扉の自由側端縁の錠箱収納孔の開口を覆うように、かつ取り外し可能に装着される。【００２８】  一方、取付板２２の裏面側で、上下方向において中央よりやや下側には、全体を符号２７で示す袖板が取付板２２に一体的に接続されている。【００２９】  図示の実施例における袖板２７は、第２面板２５の両側端縁の一部を外方に延長し、この延長部を裏面側に谷折りして形成した一対の第１袖部２８、２８と、水平断面が取付板２２側に開いたコ字形で、その両脚部の間に第１袖部２８、２８を挟持する態様で収納した第２袖部２９を備えている。【００３０】  上記第２袖部２９は、その上下に形成された一対の水平なガイド穴３１、３１、及び第１袖部２８に形成された付番しない雌ねじ孔と螺合し、ガイド穴３１に摺動可能に案内された結合ねじ３２、３２とにより、第１袖部２８に対し相対的に水平方向に移動可能に案内されている。【００３１】  このように第２袖部２９が水平方向に移動可能に案内する理由は、バックセット（扉の自由側端縁とハンドル回動軸線との距離）を２種類に切り替えるためである。【００３２】  そして、第２袖部２９の平行板部には前記取付柱挿通孔１１と同径の基準穴３３、３３が、また、背面部（第２袖部の連結板部）には、Ｕ字形で円弧部の曲率が基準穴３３と同じ基準溝３４が形成されている。【００３３】  図７に示すように、２種類のバックセットの内小さい方にセットされた場合、このダミーケースを扉の錠箱開口に装着したとき、加工治具の基準杆１８、１８の一方は基準穴３３、他方は基準溝３４を通る。【００３４】  このとき、基準穴３３を通る基準杆１８は、第２袖部に開口した逃げ穴３５（図７参照）を挿通する。【００３５】  バックセットを大きく設定するため第２袖部を図で右方に移動させたときには、基準杆１８は第１袖部の内方（図７で第１袖部の右方）を通るので、第１袖部２８と干渉することは無い。【００３６】  なお、特許請求の範囲に記載された板状体である袖板は、図示の実施例のように板を２重に重合したものを含むものとし、また、基準穴３３なる概念は、図７に示すようにＵ字形の溝も含むものとする。
【符号の説明】
【００３７】１  扉
２  内側ハンドル
３  外側ハンドル
４  異形断面軸
５  内側丸座裏板
６  外側丸座裏板
７  取付柱
８  取付ねじ
９  錠箱
１１  取付柱挿通孔
１２  内側丸座
１３  外側丸座
１４  下穴
１５  鋼板
１６  化粧シート
１７  板状体
１８  基準杆
１９  摘み
２１  溝
２２  取付板
２３  グリップ
２４  第１面板
２５  第２面板
２６  装着ねじ
２７  袖板
２８  第１袖部
２９  第２袖部
３１  ガイド穴
３２  結合ねじ
３３  基準穴
３４  基準溝
３５  逃げ穴
【図１】
2016194233.tif 000003
【図２】
2016194233.tif 000004
【図３】
2016194233.tif 000005
【図４】
2016194233.tif 000006
【図５】
2016194233.tif 000007
【図６】
2016194233.tif 000008
【図７】
2016194233.tif 000009
【図８】
2016194233.tif 000010